(57)【要約】【課題】手書き感覚で絵や文字をディスプレイ画面上に直接入力できる機能を持ち、テレビ受像装置以外に特別な装置を必要とせずに容易に設置すること。【解決手段】テレビ放送受信部とディスプレイ表示部とを有するテレビ受像装置６１であって、ペンまたは指等で触れた状態および当該状態の位置を検出する透明タブレット部６３と、透明タブレット部で検出した位置情報を手書きの画像・文字データに変換する手書き入力認識部と、テレビ放送受信部又は外部接続された機器又は手書き入力認識部からの映像信号・音声信号を記録する記録部と、を備え、透明タブレット部６３はディスプレイ表示部６２の前面に設置され、ディスプレイ表示部はテレビ放送受信部又は外部接続された機器からの映像信号の他に、手書き入力認識部又は記録部から入力される映像信号を画面表示する。また、小型カメラ６５やマイクロフォン６６を備えてこれらからのデータを取り入れること。【選択図】図６
2006330919.tif 000002
【特許請求の範囲】
【請求項１】
テレビ放送を受信して映像信号および音声信号に変換するテレビ放送受信部と、前記テレビ放送受信部で変換された映像信号または外部接続された機器から入力される映像信号を画面表示するディスプレイ表示部と、を有するテレビ受像装置であって、
ペンまたは指等で触れた状態および当該状態の位置を検出する透明タブレット部と、
前記透明タブレット部で検出した前記ペンまたは指等の動きに追随して手書きの画像データに変換し、および／または前記ペンまたは指等の動きを認識して文字データに変換する機能を有する手書き入力認識部と、
前記テレビ放送受信部から出力される映像信号および音声信号、前記外部接続された機器から入力される映像信号および音声信号、及び前記手書き入力認識部から出力される画像データおよび／または文字データを記録する記録部と、を備え、
前記透明タブレット部は、前記ディスプレイ表示部での表示画像を透過するように前記ディスプレイ表示部の前面に設置され、
前記ディスプレイ表示部は、前記テレビ放送受信部または前記外部接続された機器からの映像信号の他に、前記手書き入力認識部から入力される映像信号、または前記記録部から入力される映像信号を画面表示する
ことを特徴とするテレビ受像装置。
【請求項２】
請求項１において、
カメラとマイクロフォンを備え、前記カメラからの画像および前記マイクロフォンからの音声を取り込むことを特徴するテレビ受像装置。
【請求項３】
請求項１または２において、
プリンタ部を備え、前記テレビ放送受信部から出力される映像信号、前記外部接続された機器から入力される映像信号、または前記手書き入力認識部から出力される画像データおよび／または文字データ、前記記録部で記録しているデータを、前記プリンタ部で印刷して出力することを特徴とするテレビ受像装置。
【請求項４】
請求項１、２または３において、
電話回線、ＰＨＳ回線、有線もしくは無線方式のＬＡＮ回線等を含む各種通信回線の何れか、または複数の通信回線を使用し、ファクシミリ通信またはインターネット通信を実現するための通信回線とのインターフェース部を備え、前記インターフェース部を通して画像データまたは音声データを外部と送受信することを特徴とするテレビ受像装置。
【発明の詳細な説明】
【技術分野】
【０００１】
本発明は、テレビ受像装置に係り、特に、手書き入力認識機能を有するテレビ受像装置に関する。
【背景技術】
【０００２】
従来、テレビ受像装置のディスプレイ画面上に、手書きで絵や文字を描くことはあまり一般的ではなく、このような機能を有するテレビ受像装置は普及していなかった。そして、このような機能を実現するためには、テレビ受像装置の外部に、マウスやジョイスティック、デジタイザーやタブレット等のディスプレイ画面上の位置を指示する入力装置を接続することが一般的であった。
【０００３】
マウスとは表面にボタン型スイッチ、裏面にボールまたは受発光素子を持った入力装置で、机等の上で滑らせることにより移動した方向や距離を検出する装置である。ジョイスティックとは、スティック部分を傾けることで移動方向と距離を指示する入力装置である。タブレットとは、画面上の位置を指示するためのペン型やマウス型の装置と、その位置を検出するための板状の装置を組み合わせた構造になっている入力装置であり、大型で精度の高いものはデジタイザーと呼ばれている。
【０００４】
また、ディスプレイ画面上への入力装置として、特許文献１に示す従来技術においては、ライトペンを使用してテレビ受像装置（例えば、ＣＲＴ（ブラウン管）方式）のディスプレイ画面上で走査線の光を検出し、ライトペンの位置座標を検出して図形を描く画像作成装置の技術が開示されている。この技術によれば、直接テレビ受像装置のディスプレイ画面にライトペンで触れながら図形を描くことができる。
【特許文献１】特開平５−４６３１８号公報
【発明の開示】
【発明が解決しようとする課題】
【０００５】
しかしながら、上記背景技術欄で述べたテレビ受像装置の外部にディスプレイ画面上の位置を指示する入力装置を接続する方法では、手書き入力している場所と、入力して描いた画像の表示される場所が一致していないことから手書きに近い操作感覚を得ることが困難であった。
【０００６】
さらに、テレビ受像装置の外部にディスプレイ画面上の位置を指示する入力装置を接続する必要があるため、当該入力装置を設置するための場所がテレビ受像装置とは別に必要となり、テレビ受像装置のディスプレイ画面上に手書きで絵や文字を描く機能を実現することは容易ではなかった。さらに、上記背景技術欄で述べたライトペンを使用する方法でも、当該画像作成装置をテレビ受像装置の外部へ接続する必要があるため、当該画像作成装置を設置するための場所がテレビ受像装置とは別に必要となり、テレビ受像装置のディスプレイ画面上に、手書きで絵や文字を描く機能を実現することは容易ではなかった。
【０００７】
また、当該画像作成装置で描いた絵や文字は装置の電源を切ると消えてしまうため、描いた絵や文字を残しておくためにはテレビ受像装置にビデオデッキ等の録画装置を外部に接続しておかなければならなかった。
【０００８】
また、特に近年、液晶ディスプレイパネルやプラズマディスプレイパネル等の薄型ディスプレイ装置の普及に伴って、これらの薄型ディスプレイ装置を使用した薄型のテレビ受像装置が普及し始めている。
【０００９】
薄型のテレビ受像装置はその設置に必要となる場所が従来型のＣＲＴ（ブラウン管）方式によるテレビ受像装置の設置に必要な場所と比較して小さくて済むことから人気があるが、手書きで絵や文字を薄型テレビ受像装置のディスプレイ画面上に描く機能を実現するためには、従来の技術では薄型テレビ受像装置とは別の装置を外部接続して設置しなければならなかった。
【００１０】
さらに、テレビ受像装置は家庭内では居間等の家族の集まる場所に設置される場合が多く見受けられるが、元来、小さな子供等はテレビ受像装置のディスプレイ画面に近づいて触れたり、落書きしたり、傷つけたりする場合があった。特に近年普及し始めた薄型のテレビ受像装置では、従来型のＣＲＴ（ブラウン管）方式によるテレビ受像装置に比べて小型軽量であることはもちろん、テレビ受像装置自体の価格が高価であること等から、子供による落書きや破損を防ぐために薄型テレビ受像装置から子供を遠ざけている家庭が多かった。このため、家族の集まる場所である居間等にテレビ受像装置が設置されながら、特に子供等を遠ざけているという状況が生じていた。
【００１１】
本発明は、上述した課題を解決するためになされたものであり、手書き感覚で絵や文字をディスプレイ画面上に直接入力できる機能を持ち、テレビ受像装置以外に特別な装置を必要とせずに容易に設置することが可能なテレビ受像装置を提供することを目的とする。
【００１２】
さらに本発明は、手書き入力で描いた絵や文字の画像データや、手書き入力認識機能で変換した文字データを記録することで、メモやメッセージを残しておくことを可能とし、紙の使用量を削減することで環境保護にも貢献することのできるテレビ受像装置を提供することを目的とする。また、本発明は、特に子供等がディスプレイ画面上に自由に落書きできるようにすることで、家族の集まる場所に相応しいテレビ受像装置を提供することを目的とする。
【課題を解決するための手段】
【００１３】
前記課題を解決するために、本発明は主として次のような構成を採用する。  
テレビ放送を受信して映像信号および音声信号に変換するテレビ放送受信部と、前記テレビ放送受信部で変換された映像信号または外部接続された機器から入力される映像信号を画面表示するディスプレイ表示部と、を有するテレビ受像装置であって、
ペンまたは指等で触れた状態および当該状態の位置を検出する透明タブレット部と、
前記透明タブレット部で検出した前記ペンまたは指等の動きに追随して手書きの画像データに変換し、および／または前記ペンまたは指等の動きを認識して文字データに変換する機能を有する手書き入力認識部と、
前記テレビ放送受信部から出力される映像信号および音声信号、前記外部接続された機器から入力される映像信号および音声信号、及び前記手書き入力認識部から出力される画像データおよび／または文字データを記録する記録部と、を備え、
前記透明タブレット部は、前記ディスプレイ表示部での表示画像を透過するように前記ディスプレイ表示部の前面に設置され、
前記ディスプレイ表示部は、前記テレビ放送受信部または前記外部接続された機器からの映像信号の他に、前記手書き入力認識部から入力される映像信号、または前記記録部から入力される映像信号を画面表示する構成とする。
【発明の効果】
【００１４】
本発明によると、絵や文字等をディスプレイ画面上に手書き感覚で直接入力することが可能となり、テレビ受像装置以外に特別な装置を必要とせずに容易に設置することが可能であるテレビ受像装置を提供することができる。
【００１５】
また、本発明によると、特に子供等がディスプレイ表示部の画面上に自由に手書きで落書きできること、手書きした画像データを記録して後で再生できること、手書きのメモ画像や映像や音声付きのメッセージを残せるので留守番している子供等に安心感を与えることができることから、家族の集まる場所に相応しいテレビ受像装置を提供することができる。
【００１６】
さらに、本発明によると、ディスプレイ表示部の画面上に画像やメモを書き込むので紙や鉛筆等を必要としないこと、手書き入力した画像や文字等のデータや記録部に記録されたデータ、通信回線を通じて得た画像や文字等のデータやファクシミリデータ等について、ディスプレイ画面上にて確認することができるので、全てを紙に出力する必要が無くなることから、紙の使用量の削減につながり、環境保護にも貢献することが可能であるテレビ受像装置を提供することができる。
【発明を実施するための最良の形態】
【００１７】
本発明の第１〜第５の実施形態に係るテレビ受像装置について、図１〜図６を参照しながら以下詳細に説明する。図１は本発明の第１の実施形態に係るテレビ受像装置の概略構成を示すブロック図である。図２は本発明の第１の実施形態に係るテレビ受像装置の外観構成を示す図である。図３は本発明の第２の実施形態に係るテレビ受像装置の外観構成を示す図である。図４は本発明の第３の実施形態に係るテレビ受像装置の外観構成を示す図である。図５は本発明の第４の実施形態に係るテレビ受像装置の外観構成を示す図である。図６は本発明の第５の実施形態に係るテレビ受像装置の外観構成を示す図である。
【００１８】
「第１の実施形態」
本発明の第１の実施形態に係るテレビ受像装置は、図１に示すように、テレビ放送受信部１１と、ディスプレイ表示部１２と、透明タブレット部１３と、手書き入力認識部１４と、記録部１５と、から構成されている。
【００１９】
テレビ放送受信部１１は、テレビ放送を受信して映像信号や音声信号に変換するためのものである。ディスプレイ表示部１２は、テレビ放送受信部１１で変換された映像信号や、本装置に外部接続された機器等から入力される映像信号、手書き入力認識部１４から入力される映像信号、及び記録部１５から入力される映像信号等を画面表示するためのものである。
【００２０】
透明タブレット部１３は、ディスプレイ表示部１２の前面に設置され、ディスプレイ表示部１２での表示画像を透過し、ペンや指等で触れたことや触れた位置を検出するためのものである。手書き入力認識部１４は、透明タブレット部１３で検出したペンや指等の動きに追随して手書きの画像データに変換、あるいはペンや指等の動きを認識して文字データに変換するためのものである。
【００２１】
記録部１５は、テレビ放送受信部１１から出力される映像・音声信号や、本装置の外部に接続された機器等から入力される映像・音声信号、及び手書き入力認識部１４から出力される画像データや文字データ等のデータを記録するためのものである。なお、図１に示す構成は他の実施形態においても適用される構成である。
【００２２】
図１において、テレビ放送受信時はテレビ放送受信部１１で変換された映像信号がディスプレイ表示部１２に表示される。ディスプレイ表示部１２の前面に設置された透明タブレット部１３上を、スタイラスペン（図示しない）や指等でなぞることにより、手書き入力認識部１４でスタイラスペン等の位置情報が認識されて画像データに変換され、ディスプレイ表示部１２に絵として表示される。記録部１５は、ディスプレイ表示部１２に表示されるテレビ放送の映像信号や音声信号の他、外部接続された機器から入力される映像信号・音声信号、手書き入力認識部１４で変換された手書き画像データを記録する。記録部１５で記録したデータは、後でディスプレイ表示部１２に表示させることができる。
【００２３】
本装置に外部接続される機器としては、ビデオ機器やオーディオ機器、パーソナルコンピュータ等だけではなく、例えば玄関に設置されたドアホンカメラや、家庭内の任意の場所に設置されたセキュリティカメラ等を接続しても良い。この場合、留守中の来客を記録して保存しておき、後で確認することが可能となる。
【００２４】
図２において、第１の実施形態に係るテレビ受像装置２１ではテレビ放送受信時にはテレビ放送受信部（図示しない）で変換された映像信号がディスプレイ表示部２２に表示される。ディスプレイ表示部２２の前面に設置された透明タブレット部２３上を、スタイラスペン２４等を使ってなぞることにより、本装置内部の手書き入力認識部（図示しない）でスタイラスペン２４等の位置情報が認識されて画像データに変換され、ディスプレイ表示部２２に画像として表示される。本装置内部の記録部（図示しない）は、ディスプレイ表示部２２に表示されるテレビ放送の映像信号や音声信号の他、手書き入力認識部で変換された手書き画像データを記録する。記録部で記録したデータは、後でディスプレイ表示部２２に表示させることができる。
【００２５】
本実施形態によるテレビ受像装置では、ディスプレイ表示部２２の前面に設置された透明タブレット部２３にスタイラスペン２４等で入力した画像や手書きの文字、手書き入力認識により変換された文字データ等をディスプレイ表示部２２に表示させることができ、その画像データを記録部１５で記録し、後で再生してディスプレイ表示部２２に表示させることが可能である。
【００２６】
また、ディスプレイ表示部２２に表示されている、テレビ放送や外部接続機器から入力された映像に、手書き入力した画像や文字、手書き入力認識により変換された文字データ等を重ね合わせて表示し、その画像データを記録部１５で記録して後で再生してディスプレイ表示部２２に表示させることも可能である。
【００２７】
これにより、本実施形態によるテレビ受像装置によれば、テレビ受像装置以外に特別な装置を必要とすることなく、スタイラスペン２４等を使って直接ディスプレイ表示部２２に手書き感覚で絵を描いたり、メモを書いたりすることができる。また、テレビ放送画面を画面メモとして取り込む際に、スタイラスペン２４等を使って手書きでメモを書き加えること等も可能となる。
【００２８】
特に、子供等にとっては、テレビ受像装置のディスプレイ表示画面に自由に落書きしたり、テレビ放送や外部接続機器からの画像にいたずら書きを追加したりできる他、例えば留守番をしている時に家族からの手書きのメッセージを再生して見ることができたり、書いた画像を記録して残し、後で家族に見せたりすることも可能となる。
【００２９】
このように本実施形態によれば、コミュニケーションを豊かにする助けとなることもできるため、家族の集まる場所に設置するのに相応しいテレビ受像装置を提供することができる。さらに、本実施形態によるテレビ受像装置では、絵やメモを残す際に紙と鉛筆等を必要としないため、必要な時にすぐに絵やメモを残せる他、紙の使用量を削減できるため環境保護にも貢献することができる。
【００３０】
「第２の実施形態」
本発明の第２の実施形態に係るテレビ受像装置の外観構成を示す図３において、テレビ受像装置３１は、前述した第１の実施形態に係るテレビ受像装置と同様に、テレビ放送受信部（図示しないが図１の符号１１）と、ディスプレイ表示部３２と、透明タブレット部３３と、スタイラスペン３４と、手書き入力認識部（図示しないが図１の符号１４）と、記録部（図示しないが図１の符号１５）とから構成され、さらに、小型カメラ３５と、マイクロフォン３６を備えることを特徴とする装置である。図３では、小型カメラ３５とマイクロフォン３６を、ディスプレイ表示部３２と同じ面に設置した場合の例を示したが、小型カメラ３５やマイクロフォン３６の設置場所については、例えば本装置のリモートコントローラ（図示しない）等に内蔵させる形態で設置しても良い。
【００３１】
本実施形態によるテレビ受像装置３１では、前述した第１の実施形態におけるテレビ受像装置の特徴に加えて、小型カメラ３５及びマイクロフォン３６により、本装置を使用する者の画像や音声を本装置に取り込み、装置内部の記録部（図示しないが図１の符号１５）に記録することができるという特徴を有している。
【００３２】
これにより、本実施形態によるテレビ受像装置では、手書き入力した文字や画像のデータ、手書き入力認識部１４で変換された文字データ等を記録部１５に残して後で再生してみることができるばかりか、手書きの文字や画像データに加えて、小型カメラ３５やマイクロフォン３６から取り込まれた映像データや音声データについても同様に記録部１５に保存しておき、後で再生してみることも可能となる。従って、例えば留守番をしている子供等に残すメッセージでは、手書き文字や画像データだけの場合に比べてより安心感を与えることが可能である。
【００３３】
「第３の実施形態」
本発明の第３の実施形態に係るテレビ受像装置の外観を示す図４において、テレビ受像装置４１は、前述した第１の実施形態で説明したテレビ受像装置と同様に、テレビ放送受信部（図示しないが図１の符号１１）と、ディスプレイ表示部４２と、透明タブレット部４３と、スタイラスペン４４と、手書き入力認識部（図示しないが図１の符号１４）と、記録部（図示しないが図１の符号１５）と、から構成され、さらに、プリンタ４５を備えることを特徴とする装置である。
【００３４】
本実施形態によるテレビ受像装置４１では、前述した第１の実施形態におけるテレビ受像装置の特徴に加えて、プリンタ４５により、テレビ放送受信部１１から出力される映像信号や、外部接続された機器等から入力される映像信号、及び手書き入力認識部１４から出力される画像データや文字データ、記録部１５で記録しているデータ等を、備え付けの紙に印刷して出力することができる。
【００３５】
その際、印刷の必要なものと必要ないものとの選択は、ディスプレイ表示部４２に表示される縮小画像を見ながら、スタイラスペン４４等を使って透明タブレット部４３上で指示するように構成しても良い。このように必要のあるものだけを選んで印刷することができるので、紙の使用量の削減が可能であり、環境保護にも貢献することができる。
【００３６】
「第４の実施形態」
本発明の第４の実施形態に係るテレビ受像装置の外観を示す図５において、テレビ受像装置５１は、前述した第１の実施形態で説明したテレビ受像装置と同様に、テレビ放送受信部（図示しないが図１の符号１１）と、ディスプレイ表示部５２と、透明タブレット部５３と、スタイラスペン５４と、手書き入力認識部（図示しない）と、記録部（図示しない）から構成され、さらに、電話回線やＰＨＳ（パーソナルハンディフォンシステム）回線、有線または無線方式のＬＡＮ（ローカルエリアネットワーク）回線等の何れか、または複数の回線を使用し、ファクシミリ通信やインターネット通信等を実現するための通信回線とのインターフェース部５５を備えることを特徴とする装置である。
【００３７】
図５では、ＰＨＳ回線や無線ＬＡＮ回線等の無線通信回線とのインターフェース部５５を備えた場合の例を示したが、通信手段については、例えば、この他の電話回線や有線ＬＡＮ回線等の何れか、または複数の回線を使用しても良い。
【００３８】
本実施形態によるテレビ受像装置５１では、前述した第１の実施形態におけるテレビ受像装置の特徴に加えて、通信回線とのインターフェース部５５により、テレビ放送の映像や、外部接続された機器等から入力される映像信号、及び手書き入力認識部１４から出力される画像データや文字データ、記録部１５で記録しているデータ等を、インターフェース部５５に接続された通信回線を通じて、本実施形態によるテレビ受像装置５１を含めた外部の装置へ送信したり、本実施形態におけるテレビ受像装置５１を含めた外部の装置から画像データや文字データを受信してディスプレイ表示部５２に表示したり、記録部１５へ記録したりすることができる。
【００３９】
これにより、本実施形態によるテレビ受像装置５１では、手書き入力した文字や画像のデータ、手書き入力認識部１４で変換された文字データ等を、離れた場所にいる人とやり取りすることが可能となるため、例えば、相手と同じ絵やメモを共有したり、電子メールのようにメッセージを交換したりすることができる。
【００４０】
さらに、本実施形態によるテレビ受像装置５１では、例えば電話回線を通じてファクシミリ通信のデータを受信した場合等、一旦記録部１５で記録した後にディスプレイ表示部５２に表示して確認することで紙を必要としなくなるため、紙の使用量を削減でき環境保護にも貢献することができる。
【００４１】
「第５の実施形態」
本発明の第５の実施形態に係るテレビ受像装置６１の外観を示す図６において、テレビ受像装置６１は、前述した第１の実施形態で説明したテレビ受像装置と同様に、テレビ放送受信部（図示しないが図１の符号１１）と、ディスプレイ表示部６２と、透明タブレット部６３と、スタイラスペン６４と、手書き入力認識部（図示しないが図１の符号１４）と、記録部（図示しないが図１の符号１５）と、から構成され、さらに、小型カメラ６５と、マイクロフォン６６と、電話回線やＰＨＳ（パーソナルハンディフォンシステム）回線、有線または無線方式のＬＡＮ（ローカルエリアネットワーク）回線等の何れか、または複数の回線を使用し、ファクシミリ通信やインターネット通信等を実現するための通信回線とのインターフェース部６７を備えることを特徴とする装置である。
【００４２】
図６では、小型カメラ６５とマイクロフォン６６を、ディスプレイ表示部６２と同じ面に設置した場合の例を示したが、小型カメラ６５やマイクロフォン６６の設置場所については、例えば本装置のリモートコントローラ（図示しない）等に内蔵させる形態で設置しても良い。また、図６では、ＰＨＳ回線や無線ＬＡＮ回線等の無線通信回線とのインターフェース部６７を備えた場合の例を示したが、通信手段については、例えば、この他の電話回線や有線ＬＡＮ回線等の何れか、または複数の回線を使用しても良い。
【００４３】
本実施形態によるテレビ受像装置６１では、前述した第１の実施形態におけるテレビ受像装置の特徴に加えて、小型カメラ６５及びマイクロフォン６６により、本装置を使用する者の画像や音声を本装置に取り込み、装置内部の記録部（図示しないが図１の符号１５）に記録することができるという特徴を有している。さらに、通信回線とのインターフェース部６７により、テレビ放送の映像や、外部接続された機器等から入力される映像信号、及び手書き入力認識部１４から出力される画像データや文字データ、記録部１５で記録しているデータ等に加えて、本装置に備える小型カメラ６５及びマイクロフォン６６により取り込んだ、本装置を使用する者の画像や音声データを、インターフェース部６７に接続された通信回線を通じて、本実施形態によるテレビ受像装置６１を含めた外部の装置へ送信したり、本実施形態におけるテレビ受像装置６１を含めた外部の装置から画像データや文字データを受信してディスプレイ表示部６２に表示したり、記録部１５へ記録したりできるという特徴を有している。
【００４４】
これにより、本実施形態によるテレビ受像装置６１では、手書き入力した文字や画像のデータ、手書き入力認識部１４で変換された文字データ等を記録部１５に残して後で再生してみることができるばかりか、手書きの文字や画像データに加えて、小型カメラ６５やマイクロフォン６６から取り込まれた映像データや音声データについても同様に記録部１５に保存しておき、後で再生してみることも可能となる。従って、例えば留守番をしている子供等に残すメッセージでは、手書き文字や画像データだけでなく動画や音声も一緒に残すことができるので、より安心感を与えることが可能である。
【００４５】
また、手書き入力した文字や画像のデータ、手書き入力認識部１４で変換された文字データ等を、離れた場所にいる人とやり取りすることが可能となるため、例えば、相手と同じ画像やメモを共有したり、電子メールのようにメッセージを交換したりすることができる。さらに、テレビ電話としての使用も可能であるため、離れた場所にいる相手と同じ画像やメモを共有し、そのメモに手書きで書き加えながら話し合うことも可能であるので、離れた場所に居てもコミュニケーションを深めることができる。
【００４６】
また、例えば、留守番をしている子供等にメッセージを残す場合、手書き文字や画像データだけでなく、小型カメラ６５やマイクロフォン６６から取り込まれた映像データや音声データをも残せるばかりでなく、通信回線を利用することによって、外出先から留守宅とテレビ電話で会話することまで可能となるので、留守番をしている子供等にはより一層の安心感を与えることができる。
【００４７】
以上説明したように、本発明の実施形態に係るテレビ受像装置は、次のような構成を有するとともに機能ないし作用を奏することを特徴とする。すなわち、本実施形態に係るテレビ受像装置は、テレビ放送を受信して映像信号や音声信号に変換するテレビ放送受信部と、テレビ放送受信部にて変換された映像信号や、本装置の外部に接続された機器等から入力される映像信号、手書き入力認識部から入力される映像信号、及び記録部から入力される映像信号等を画面表示するディスプレイ表示部と、ディスプレイ表示部の前面に設置され、ディスプレイ表示部での表示画像を透過し、ペンや指等で触れたことや触れた位置を検出する透明タブレット部と、透明タブレット部で検出したペンや指等の動きに追随して手書きの画像データに変換し、あるいはペンや指等の動きを認識して文字データに変換する機能を有する手書き入力認識部と、テレビ放送受信部から出力される映像・音声信号や、本装置の外部に接続された機器等から入力される映像・音声信号、及び手書き入力認識部から出力される画像データや文字データ等のデータを記録する記録部と、によって構成されることを特徴としている。
【００４８】
このような構成において、本装置に外部接続される機器としては、ビデオ機器やオーディオ機器、パーソナルコンピュータ等だけではなく、例えば玄関に設置されたドアホンカメラや、家庭内の任意の場所に設置されたセキュリティカメラ等を接続しても良い。この場合、留守中の来客を記録して保存しておき、後で確認することも可能となる。
【００４９】
ディスプレイ表示部には、例えば従来から使用されているＣＲＴ（ブラウン管）や、近年普及しつつある液晶ディスプレイパネルやプラズマディスプレイパネル等の薄型ディスプレイ装置を使用することができる。ディスプレイ表示部の画面上での位置を指示するスタイラスペンや指等の接触を検出する透明タブレット部には、例えば圧力を検知する透明電極を用いた感圧素子や、接触を検知する光学的素子等を使用することができる。
【００５０】
手書き入力認識部には、スタイラスペンや指等でディスプレイ表示部の画面上に設置された透明タブレット部をなぞった通りのイメージを画像データとして取り込む機能の他、例えばディスプレイ表示部に表示された入力枠の中にスタイラスペンや指等で書き込んだ文字を認識して文字コードのデータに変換し、装置に内蔵しているフォント（字体）を使用して活字のような文字としてディスプレイ表示部の画面上に表示させる機能等を持たせることができる。
【００５１】
記録部は、テレビ放送受信部や外部接続機器からの映像・音声信号や手書き入力認識部からの画像データや文字データ等のデータを記録する機能を持ち、半導体メモリー等の記憶素子や、固定磁気記録ディスク装置等の記録装置を使用することができる。
【００５２】
また、本実施形態に係るテレビ受像装置では、小型カメラとマイクロフォンを備えても良い。この構成においては、小型カメラ及びマイクロフォンは本装置を操作する使用者の画像や音声を取り込み、取り込んだ画像や音声のデータは本装置内部の記録部に記録できることを特徴とする。小型カメラには電荷結合素子（ＣＣＤ）やＣ−ＭＯＳイメージセンサー（ＣＩＳ）等を、マイクロフォンにはコンデンサ型マイクロフォン等を使用することができる。これらの小型カメラやマイクロフォンは、例えば、本装置のディスプレイ表示部と同じ面に設置しても良いし、リモートコントローラ等の中に設置しても良い。
【００５３】
また、本実施形態に係るテレビ受像装置では、プリンタ部を備えても良い。この構成においては、プリンタ部はテレビ放送受信部から出力される映像信号や、外部接続された機器等から入力される映像信号、及び手書き入力認識部から出力される画像データや文字データ、記録部で記録しているデータ等を、備え付けの紙に印刷して出力できることを特徴とする。プリンタ部には、カラーまたは白黒の、感熱記録方式やインクリボン方式、インクジェット方式等のプリンタを使用することができる。
【００５４】
さらに、本実施形態に係るテレビ受像装置では、通信回線とのインターフェース部を備えても良い。この構成においては、通信回線インターフェース部はテレビ放送受信部から出力される映像信号や、外部接続された機器等から入力される映像信号、及び手書き入力認識部から出力される画像データや文字データ、記録部で記録しているデータ等を、本インターフェース部に接続された通信回線を通じて、本実施形態に係るテレビ受像装置を含めた外部の装置へ送信したり、本実施形態に係るテレビ受像装置を含めた外部の装置から画像データや文字データを受信してディスプレイ表示部に表示したり、記録部へ記録したりできることを特徴とする。通信回線には、例えば、電話回線やＰＨＳ（パーソナルハンディフォンシステム）回線、有線または無線方式のＬＡＮ（ローカルエリアネットワーク）回線等の何れか、または複数の通信回線を使用することができる。
【図面の簡単な説明】
【００５５】
【図１】本発明の第１の実施形態に係るテレビ受像装置の概略構成を示すブロック図である。
【図２】本発明の第１の実施形態に係るテレビ受像装置の外観構成を示す図である。
【図３】本発明の第２の実施形態に係るテレビ受像装置の外観構成を示す図である。
【図４】本発明の第３の実施形態に係るテレビ受像装置の外観構成を示す図である。
【図５】本発明の第４の実施形態に係るテレビ受像装置の外観構成を示す図である。
【図６】本発明の第５の実施形態に係るテレビ受像装置の外観構成を示す図である。
【符号の説明】
【００５６】
１１  テレビ放送受信部
１２  ディスプレイ表示部
１３  透明タブレット部
１４  手書き入力認識部
１５  記録部
２１，３１，４１、５１，６１  テレビ受像装置
２２，３２，４２，５２，６２  ディスプレイ表示部
２３，３３，４３，５３，６３  透明タブレット部
２４，３４，４４，５４，６４  スタイラスペン
３５，６５  小型カメラ
３６，６６  マイクロフォン
４５  プリンタ
５５，６７  インターフェース部
【図１】
2006330919.tif 000003
【図２】
2006330919.tif 000004
【図３】
2006330919.tif 000005
【図４】
2006330919.tif 000006
【図５】
2006330919.tif 000007
【図６】
2006330919.tif 000008